(57)【要約】      （修正有）【課題】風船の外周に絵や広告を表示してこれを小型送風機で空中に浮遊させ、風船の回転する速度を制御又は静止する広告媒体を提供する。【解決手段】基台１の上に、空間ａを隔てて金網フィルター２を介した金網底３ａ有する小型送風機３を支架し、小型送風機の送風流側に送風外筒４を架設し、その送風外筒の中に、互いに密接した同径の一対の可傾内筒５を内接せしめ、その十字方向の空間に互いに対向する一対の整流内筒６を内接せしめ、更に、可傾内筒と整流内筒に、送風外筒に穿設した通孔７を貫通して緊締する把手８を固定した構造とし、別に、外周面に広告文字ｂ等を表示した風船９を、小型送風機の上向き送風流の中に風船を浮遊させ、一対の可傾内筒を互いに逆向きに傾斜調整することにより浮遊している風船の回転を遅めたり静止させる。【選択図】図１
0003120441.tif 000002
【実用新案登録請求の範囲】
【請求項１】
本考案は、基台（１）の上に、空間（ａ）を隔てて金網フィルター（２）を介した金網底（３ａ）を有する小型送風機（３）を支架し、当該小型送風機（３）の送風流側に透明の硬質プラスチックからなる送風外筒（４）を架設し、その送風外筒（４）の中に、プラスチックからなる互いに密接した同径の一対の可傾内筒（５），（５）を内接せしめ、その十字方向の空間に互いに対向する整流内筒（６），（６）を内接せしめ、更に、可傾内筒（５），（５）と整流内筒（６），（６）の送風外筒内接側それぞれに、送風外筒に穿設した通孔（７）を貫通して緊締する把手（８）を固定した構造とし、別に、外周面に広告文字（ｂ）等を表示した風船（９）を付属させ、小型送風機（３）を稼働して作動させた上向き送風流の中に風船（９）を浮遊させ、一対の可傾内筒を互いに逆向きに傾斜することにより浮遊している風船（９）の回転を遅めたり静止させる等の制御が出来る構造とした空中浮遊風船広告器。
【考案の詳細な説明】
【技術分野】
【０００１】  本考案は、風船の外周に絵や広告を表示してこれを小型送風機で空中に浮遊させ、風船の回転する速度を制御又は静止するようにして広告媒体とする空中浮遊風船広告器に関する。
【背景技術】
【０００２】  室内の空気を均一にするため、送風筒を排出側に保持した小型送風機を用い空気を還流せしめる方法は、例えば、特許第３０３２８８６号（特許文献１）によって提案されている。
【特許文献１】特許第３０３２８８６号公報
【考案の開示】
【考案が解決しようとする課題】
【０００３】  特許文献１のものは、小型送風機からの送風流を送風筒によって送風力の減衰なく部屋の隅まで到達させ、室内の空気を還流させて室内温度を単に均一化するものであるが、本考案では、この送風筒付の小型送風機を上向きにしてその送風流の中に広告を記載した風船を浮遊させ、静止または速度を制御した回転を付加して広告媒体とするものである。
【課題を解決するための手段】
【０００４】  本考案は、基台（１）の上に、空間（ａ）を隔てて金網フィルター（２）を介した金網底（３ａ）を有する小型送風機（３）を支架し、当該小型送風機（３）の送風流側に透明の硬質プラスチックからなる送風外筒（４）を架設し、その送風外筒（４）の中に、プラスチックからなる互いに密接した同径の一対の可傾内筒（５），（５）を内接せしめ、その十字方向の空間に互いに対向する一対の整流内筒（６），（６）を内接せしめ、更に、可傾内筒（５），（５）と整流内筒（６），（６）の送風外筒内接側それぞれに、送風外筒に穿設した通孔（７）を貫通して緊締する把手（８）を固定した構造とし、別に、外周面に広告文字（ｂ）等を表示した風船（９）を付属させ、小型送風機（３）を稼働して作動させた上向き送風流の中に風船（９）を浮遊させ、一対の可傾内筒（５），（５）を互いに逆向きに傾斜調整することにより浮遊している風船（９）の回転を遅めたり静止させる等の制御ができる構造の空中浮遊風船広告器とした。
【考案の効果】
【０００５】  本考案は、小型送風機（３）を稼働して作動させた上向き送風流の中に風船（９）を浮遊させ、風船外周面の広告文字（ｂ）を動く媒体として人の視覚に提供するもので、動きのある広告媒体は、動きの無い固定した広告媒体に比べて、通行人や顧客に興味を引く集客効果があり、送風外筒（４）の中に内接せしめた一対の可傾内筒（５），（５）と一対の整流内筒（６），（６）を一対毎に夫々の把手（８）によって操作して、浮遊する風船（９）を静止させたり、回転を早く遅く自在に制御して、広告文字を読み取り可能にしながら効果的に広告表示ができる効果と集客効果があり、小型送風機（３）は僅少電力の消費で省エネ効果もある。
【考案を実施するための最良の形態】
【０００６】  本考案は、小型送風機（３）を稼働して作動させた上向き送風流の中に風船（９）を浮遊させ、風船外周面の広告文字（ｂ）を動く媒体として顧客の視覚に提供するもので、送風外筒（４）の中の一対の可傾内筒（５），（５）と一対の整流内筒（６），（６）を直上に向けたまま小型送風機（３）を稼働送風すると、上向き送風流の中の風船（９）は、小型送風機（３）の回転方向例えば反時計回り即ち、左回りに回転しながら送風外筒（４）の直上に位置を安定してゆらぎながら浮遊状態を保つ。【０００７】  この時、広告媒体となる風船（９）の回転は、送風機モーターのボルト数の大小による送風量の増減により、回転速度を変化させるが、例えば、風船自体の形自体を西瓜，メロン等の物体広告に擬るときは、回転速度が速くてもよいが、風船外周に広告文字（ｂ）を記載した場合は、これを読み取り出来る程度に回転速度を遅めるか、浮遊状態で静止せしめなければならない。【０００８】  本考案は、一対の可傾内筒（５），（５）と、その可傾内筒の中心を結ぶ送風外筒の中心線を通り直交する送風外筒の中心線上の一対の整流内筒（６），（６）による垂直上昇流と傾斜流との送風流の組み合わせによるもので、可傾内筒と整流内筒は夫々対としたので風流のバランスがよく、左回転している風船の外周に、可傾内筒の右向き風流を当接することによって、風船に逆向きのブレーキが作用することになり、回転が遅くなり、または浮遊が安定しながら静止する。従って、風船外周に記載した広告文字は充分読み取れ、広告としての機能を果たすことが出来ると共に、集客効果がある。【０００９】  本考案では、一対の整流内筒（６），（６）は、垂直上方に向けたまま上昇の層流を作って風船を安定浮上させつつ、風船の回転方向の逆向きに風が向くよう他方の一対の可傾内筒（５），（５）を把手（８）で互いに傾けて傾斜角度を調節緊締して回転を制御を行い、多面の広告文字を読ませる時は回転を遅め、一定面の広告文字を強調したいときは、静止させる。【００１０】  送風外筒（４）に内接する可傾内筒（５），（５）に対して、整流内筒（６），（６）は、構造上直径の小さな円筒になるため、整流内筒の周辺に空間が形成されて、可傾内筒の傾斜操作が容易となる。【００１１】  一対の整流内筒（６），（６）は一対の可傾内筒に、一対の可傾内筒（５），（５）は一対の整流内筒に替えてもよく、内筒は一個を中心に互いに対になるよう複数偶数個を配設してもよい。【００１２】  送風外筒（４）は、透明とすれば、中の可傾内筒の傾斜状態が目視でき、傾斜角度を確認しながらの可傾操作がし易くく、軽量のプラスチックなので持ち運びが容易である。【００１３】  本考案は、風船をペインテング装飾して室内用として空気でゆらぐ動くインテリヤとして利用することも出来る。【００１４】  本願に於て、小型送風機（３）の金網底（３ａ）は、手指等入り込まないための安全が確保され、その下に配した金網フィルター（２）は、防塵の役割を担う。
【図面の簡単な説明】
【００１５】
【図１】  本考案の正面図である。
【図２】  本考案の平面図である。
【図３】  本考案の作用を示す正面図である。
【符号の説明】
【００１６】        １  基台
２  金網フィルター
３  小型送風機
３ａ  金網底
４  送風外筒
５，５  可傾内筒
６，６  整流内筒
７  通孔
８  把手
９  風船
ａ  空間
ｂ  広告文字
【図１】
0003120441.tif 000003
【図２】
0003120441.tif 000004
【図３】
0003120441.tif 000005